(57)【要約】【課題】  簡素な構造でありながらクロノグラフ指針の帰零制御を行い得るクロノグラフ指針の帰零構造及びこれを備えたクロノグラフ時計を提供すること【解決手段】  クロノグラフ時計のクロノグラフ指針の帰零構造２は、クロノグラフ指針の取付けられたクロノグラフ車１０の正方向Ｄ１及び逆方向Ｄ２の回転に応じて正方向Ｄ１及び逆方向Ｄ２に回転される帰零カム２０であって、正方向及び逆方向回転に対して非対称な形状を有すると共に回転規制面２４を含むカム２１面を備えたもの２０と、基端側で静置支持体に固定され先端側が該カム２０のカム面２１に弾性的に圧接された帰零ばね３０とを具備し、帰零カム２０が逆方向Ｄ２に回転される際に該帰零カム２０のカム面の回転規制面２４に係合して該帰零カム２０のそれ以上の逆方向回転Ｄ２を禁止する係止つめ３３を帰零ばね３０が備える。【選択図】  図４
2009121963.tif 000002
【特許請求の範囲】
【請求項１】
クロノグラフ指針の取付けられたクロノグラフ車の正方向及び逆方向回転に応じて正方向及び逆方向に回転される帰零カムであって、正方向及び逆方向回転に対して非対称な形状を有すると共に回転規制面を含むカム面を備えたものと、
基端側で静置支持体に固定され先端側が該カムのカム面に弾性的に圧接された帰零ばねとを具備し、
前記帰零カムが逆方向に回転される際に該帰零カムのカム面の回転規制面に係合して該帰零カムのそれ以上の逆方向回転を禁止する係止つめを前記帰零ばねが備えるクロノグラフ指針の帰零構造。
【請求項２】
帰零カムがクロノグラフ指針のあるクロノグラフ真に取付けられている請求項１に記載のクロノグラフ指針の帰零構造。
【請求項３】
カム面が帰零カムの外周面に形成されている請求項１又は２に記載のクロノグラフ指針の帰零構造。
【請求項４】
帰零カムが渦巻き状の形状を有し、前記回転規制面が、渦巻きの最大径部と小径部とをつなぐ段差部の表面からなる請求項３に記載のクロノグラフ指針の帰零構造。
【請求項５】
帰零ばねの係止つめが帰零カムの回転規制面に係合された際、係止つめに対して帰零ばねの引張方向に帰零カムの回転力がかかる請求項１から４までのいずれか一つの項に記載のクロノグラフ指針の帰零構造。
【請求項６】
帰零ばねは、先端部がＬ字状の板ばねからなり、Ｌの内側面が帰零カムの回転規制面に係合される係止つめの係止面になっている請求項１から５までのいずれか一つの項に記載のクロノグラフ指針の帰零構造。
【請求項７】
帰零ばねが基端部で静置支持体の溝に挿入固定されている請求項１から６までのいずれか一つの項に記載のクロノグラフ指針の帰零構造。
【請求項８】
帰零ばねのカム面に対する圧接力が１０ｍＮ〜２０ｍＮの範囲である請求項１から７までのいずれか一つの項に記載のクロノグラフ指針の帰零構造。
【請求項９】
帰零カムの回転動作が停止することにより発生するモータの非回転信号を検出する検出回路を有する請求項１から８までのいずれか一つの項に記載のクロノグラフ指針の帰零構造。
【請求項１０】
請求項１から９までの帰零構造を有するクロノグラフ時計。
【発明の詳細な説明】
【技術分野】
【０００１】
本発明は、クロノグラフ時計に係り、より詳しくは、クロノグラフ時計に用いられるに適したクロノグラフ指針の帰零構造に係る。
【背景技術】
【０００２】
クロノグラフ指針の帰零構造は、通常、該指針が取付けられた軸に固定されたハートカムと、押しボタンの押圧に応じて、該ハートカムを叩いて該ハートカムを初期位置に戻すための各種レバーの構造体からなる（例えば、特許文献１）。
【０００３】
しかしながら、この従来のクロノグラフ指針の帰零構造は、複雑で部品点数が多いだけでなく比較的大きくなるのを避け難く且つ動作領域を考慮すると相当広いスペースを占有する。また、ハートカム等は、打撃に耐える材料を高精度に加工する必要があることから、部品製造時間が長くなり易い。
【０００４】
一方、クロノグラフ時計ではなくて比較的大形の時計（クロック）であって電波修正等の際に時刻表示指針（時針や分針や秒針）を一旦基準位置に戻して針位置を合わせるタイプの時計において、逆転された際にのみ、正転時に追従する円形溝に対して斜め内向きにズレた溝に、レバーの端部が入り込むことにより基準位置を決めるようにすることは、提案されている（特許文献２）。
【０００５】
しかしながら、この提案では、円形の車にレバーの端部が係合して入り込む斜め内向きの案内溝を設ける必要があり、クロノグラフ時計のクロノグラフ表示機構のような小さいものには、適用し難い。
【０００６】
また、この提案は、レバーの半径方向内向きの揺動に応じて該レバーと一体的な別のレバーを同時に揺動させ、他の時刻表示指針（時針や分針や秒針）をも基準位置に合わせ得るようにしようとするもので、実際上、比較的大形の時計（クロック）における電波修正等に限られた技術である。
【特許文献１】特開２００４−２６４０３６号公報
【特許文献２】特開２００５−３００３２８号公報
【発明の開示】
【発明が解決しようとする課題】
【０００７】
本発明は、前記諸点に鑑みなされたものであって、その目的とするところは、簡素な構造でありながらクロノグラフ指針の帰零制御を行い得るクロノグラフ指針の帰零構造及びこれを備えたクロノグラフ時計を提供することにある。
【課題を解決するための手段】
【０００８】
本発明のクロノグラフ指針の帰零構造は、前記目的を達成すべく、クロノグラフ指針の取付けられたクロノグラフ車の正方向及び逆方向回転に応じて正方向及び逆方向に回転される帰零カムであって、正方向及び逆方向回転に対して非対称な形状を有すると共に回転規制面を含むカム面を備えたものと、基端側で静置支持体に固定され先端側が該カムのカム面に弾性的に圧接された帰零ばねとを具備し、前記帰零カムが逆方向に回転される際に該帰零カムのカム面の回転規制面に係合して該帰零カムのそれ以上の逆方向回転を禁止する係止つめを前記帰零ばねが備える。
【０００９】
本発明のクロノグラフ指針の帰零構造では、「クロノグラフ指針の取付けられたクロノグラフ車の正方向及び逆方向回転に応じて正方向及び逆方向に回転される帰零カムと基端側で静置支持体に固定され先端側が該カムのカム面に弾性的に圧接された帰零ばねとを具備する」が故に、帰零ばねの先端部は、帰零カムのカム面に沿って動き得る。しかも、本発明のクロノグラフ指針の帰零構造では、「帰零カムのカム面が、正方向及び逆方向回転に対して非対称な形状を有すると共に回転規制面を含み」且つ「前記帰零カムが逆方向に回転される際に該帰零カムのカム面の回転規制面に係合して該帰零カムのそれ以上の逆方向回転を禁止する係止つめを、前記帰零ばねが、備える」が故に、帰零カムのカム面が帰零カムのカム面に沿って動く帰零ばねの係止つめのところにくると、帰零ばねの係止つめが帰零カムの回転規制面に係合して、帰零カムの回転を規制し得る。即ち、本発明のクロノグラフ指針の帰零構造では、上記のような帰零カムと帰零ばねという簡素な構造で、帰零カムが所定回転位置（帰零カムの回転規制面が帰零ばねの係止つめに引っ掛る回転位置）に達した際に帰零カムの逆転を禁止し得る。更に、本発明のクロノグラフ指針の帰零構造では、帰零ばねの先端部が帰零カムに常時圧接されるので、歯車間の噛合が確実になり、バックラッシュの影響を最低限に押え得、帰零カムのある回転軸、典型的にはクロノグラフ真の回転ムラが最低限に抑えられ、クロノグラフ指針の回転ムラが最低限に抑えられ得る。
【００１０】
本発明のクロノグラフ指針の帰零構造では、典型的には、帰零カムがクロノグラフ指針のあるクロノグラフ真に取付けられている。
【００１１】
この場合、帰零カムの逆転規制（禁止）がそのままクロノグラフ真の逆転規制（禁止）をもたらす。但し、所望ならば、帰零カムをクロノグラフ真に取付ける代わりに、モータの如き回転駆動手段とクロノグラフ真とをつなぐ中間の伝達車に設けてもよい。
【００１２】
本発明のクロノグラフ指針の帰零構造では、典型的には、カム面が帰零カムの外周面に形成されている。
【００１３】
この場合、帰零ばねの先端部がカム面に倣い易い。但し、所望ならば、カム面が帰零カムの環状端面等のように外周面以外の部分に形成されていてもよい。
【００１４】
本発明のクロノグラフ指針の帰零構造では、典型的には、帰零カムが渦巻き状の形状を有し、前記回転規制面が、渦巻きの最大径部と小径部とをつなぐ段差部の表面からなる。
【００１５】
この場合、帰零カムを渦巻き状形状にするだけで、該渦巻き状形状に伴う段差部がそのまま回転規制面として機能し得る。但し、単一の回転規制面がある限り、所望ならば渦巻き状形状以外の形状でもよい。
【００１６】
本発明のクロノグラフ指針の帰零構造では、典型的には、帰零ばねの係止つめが帰零カムの回転規制面に係合された際、係止つめに対して帰零ばねの引張方向に帰零カムの回転力がかかる。
【００１７】
この場合、帰零ばねの係止つめが引っ張りに抗し得る形状的な剛性を備える限り、帰零ばねに要求される剛性が最低限に抑えられ得、典型的には、板ばねで形成され得る。
【００１８】
本発明のクロノグラフ指針の帰零構造では、典型的には、帰零ばねは、先端部がＬ字状の板ばねからなり、Ｌの内側面が帰零カムの回転規制面に係合される係止つめの係止面になっている。
【００１９】
この場合、帰零ばねが最低限の厚さで形成され得る。
【００２０】
本発明のクロノグラフ指針の帰零構造では、典型的には、帰零ばねが基端部で静置支持体の溝に挿入固定されている。
【００２１】
この場合、帰零ばねの基端部が静置支持体の対応する溝に単に挿入されるだけで安定に支持され得る。但し、帰零ばねの先端部が帰零カムのカム面に圧接されるように帰零ばねが基端部で支えられ得る限り、帰零ばねの基端部の支持は、他のどのような態様でなされていてもよい。
【００２２】
本発明のクロノグラフ指針の帰零構造では、典型的には、帰零ばねのカム面に対する圧接力が１０ｍＮ〜２０ｍＮの範囲である。
【００２３】
この場合、帰零ばねは、カムの回転を実際上阻害することなく、所定の機能を果たし得る。
【００２４】
本発明のクロノグラフ指針の帰零構造では、典型的には、帰零カムの回転動作が停止することにより発生するモータの非回転信号を検出する検出回路を有する。
【００２５】
この場合、帰零カムの回転が規制されたことを確実に検出し得るので、回転が禁止されているにもかかわらずモータが誤って回転駆動力を及ぼし続けるような事態が生じるのを避け、無理な駆動力を輪列に与えるのを防止し得る。
【００２６】
本発明のクロノグラフ時計は、典型的には、上記のようなクロノグラフ指針の帰零構造を有する。
【００２７】
このクロノグラフ時計では、簡素な構造で確実に帰零処理が行われ得る。
【発明を実施するための最良の形態】
【００２８】
本発明の好ましい一実施の形態を添付図面に示した好ましい一実施例に基づいて説明する。
【実施例】
【００２９】
本発明の好ましい一実施例のクロノグラフ時計１は、図１の平面図に示したように、分クロノグラフ表示部５Ａ、秒クロノグラフ表示部５Ｂ、及び１／１０クロノグラフ表示部５Ｃ（各クロノグラフ表示部を区別しないとき又は総称するときは、符号５で表す）を有する。
【００３０】
分クロノグラフ表示部５Ａは、分クロノグラフ指針１１Ａ（図示せず）、並びに該分クロノグラフ指針１１Ａ用の帰零カム２０Ａ及び帰零ばね３０Ａを有する。また、秒クロノグラフ表示部５Ｂは、秒クロノグラフ指針１１Ｂ（図示せず）、並びに該秒クロノグラフ指針１１Ｂ用の帰零カム２０Ｂ（図示せず）及び帰零ばね３０Ｂ（図示せず）を有する。同様に、１／１０クロノグラフ表示部５Ｃは、１／１０クロノグラフ指針１１Ｃ（図示せず）、並びに該１／１０クロノグラフ指針１１Ｃ用の帰零カム２０Ｃ及び帰零ばね３０Ｃを有する。各クロノグラフ指針を区別しないとき又は総称するときは符号１１で表し、該クロノグラフ指針１１用の帰零カムを符号２０で表し、該クロノグラフ指針１１用の帰零ばねを符号３０で表す。また、分クロノグラフ（指針）車１０Ａ、秒クロノグラフ（指針）車１０Ｂ、及び１／１０クロノグラフ（指針）車１０Ｃを区別しないとき又は総称するときは、クロノグラフ（指針）車として符号１０で表す。
【００３１】
クロノグラフ表示部５は、より詳しくは、図２の断面説明図に加えて、図３の（ａ）及び（ｂ）の斜視説明図に示したように、クロノグラフ指針１１が取付けられるクロノグラフ指針車１０と、クロノグラフ指針車１０に一体的に取付けられた帰零カム２０と、静置支持体としての地板６に取付けられた帰零ばね３０とを有する。ここで、クロノグラフ指針１１の帰零構造２は、帰零カム２０と帰零ばね３０とからなる。なお、分、秒及び１／１０の夫々のクロノグラフ指針１１Ａ，１１Ｂ，１１Ｃの帰零構造２Ａ，２Ｂ，２Ｃについては、対応する帰零カム２０Ａ，２０Ｂ（図示せず），２０Ｃと対応する帰零ばね３０Ａ，３０Ｂ（図示せず），３０Ｃとからなる。
【００３２】
クロノグラフ指針車１０は、地板６とクロノグラフ受７（図２）との間でＤ１，Ｄ２方向に回転自在に支持されたクロノグラフ真１２と、該クロノグラフ真１２のうち文字板４を越えて突出した先端部１３に取付けられたクロノグラフ指針１１と、クロノグラフ真１２に固定されたクロノグラフ歯車１４とを有し、クロノグラフ真１２には、帰零カム２０が固定されている。
【００３３】
なお、クロノグラフ指針車１０は、クロノグラフ歯車１４においてクロノグラフ中間輪列４０のうち最近接中間車４１のかな４１ａに繋がっている。クロノグラフ中間輪列４０は、相互に噛合した一つ又は複数の中間車４１，４２，４３等からなり、モータ５０のロータ５１のかな５１ａとクロノグラフ歯車１４とを繋いでいる。モータ５０は、典型的には、各クロノグラフ指針車１０毎に設けられる。なお、所望ならば、複数のクロノグラフ指針車１０，１０に対して一つのモータ５０が共用されていもよい。但し、その場合、各クロノグラフ指針車１０用の輪列のいずれかの部分、例えば中間輪列４０に、スベリ部が形成される。
【００３４】
帰零カム２０は、渦巻き状ないしカタツムリ状の形状を備えたカム面２１を、外周面２２に備えた盤状体２３からなり、この例では、クロノグラフ歯車１４のクロノグラフ受７側において、クロノグラフ真１２に嵌着されている。帰零カム２０は、更に、渦巻き状形状の最大径部２１ａと最小径部２１ｂとをほぼ放射方向（半径方向）に繋ぐ段差部のほぼ半径方向に延在する部分に回転規制面２４を備える。この回転規制面２４は、簡単には、平面状であるけれども、大きな弧状曲面であってもよい。なお、帰零カム２０は、クロノグラフ指針車１０の通常の回転方向（正転方向）に回転された際に該カム２０のカム面２１に圧接された後述の帰零ばね３０係止つめ部３３を渦巻きの半径方向外向きに押出す向きに取付けられている。
【００３５】
帰零ばね３０は、図４の（ｃ）や図２からわかるように、細長い板ばね本体部３１に加えて、該板ばね本体部３１の基端側に形成されたＬ字状の取付部３２、及び該板ばね本体部３１の先端側に形成されたＬ字状の係止つめ部３３を、板ばね本体部３１の延在平面と同一の平面内に有する。帰零ばね３０は、所望の圧接力を与える弾性と係止により帰零カム２０の回転を停止させ得る剛性とを備え得る限り、金属製であっても、プラスチック製であってもよい。
【００３６】
地板６は、帰零ばね３０のＬ字状取付部３２が装着されるべき溝部８を備える。Ｌ字状取付部３２は、基端側の横方向延在脚部３２ａ及び板ばね本体部３１につながる長手方向延在脚部３２ｂの夫々において、地板６の溝部８のうち対応する溝部分８ａ，８ｂに挿設され固定されている。溝部分８ａは、地板６の厚さ方向に深い溝になり、溝部分８ｂは、概ね、クロノグラフ指針車１０の回転中心軸線Ｄを中心とする仮想円に外接するように溝部分８ａから延びる仮想線上に位置する。なお、溝部分８ｂは、例えば、その側壁の全体ではなくて、局所的に突出した部分で基端側の長手方向延在脚部３２ｂを支える。ここで、仮想円の径は、帰零カム２０の最小径部２１ｂの径よりも小さく、且つクロノグラフ真１２の径よりも大きい。また、帰零ばね３０の板ばね状本体部３１のうち帰零カム２０側の側縁３４は、帰零カム２０の隣接端面２５に対して小間隙Ｇ１（図２）を介して該端面２５に対面する。
【００３７】
基端側取付部３２で地板６の溝部８に固定された帰零ばね３０は、該固定端部３２から時計１の主面に平行に延び、且つ板ばね本体部３１の主面に垂直にＥ１，Ｅ２方向に撓み変形可能である。
【００３８】
帰零ばね３０のＬ字状の係止つめ部３３は、横方向延在脚部３５が一方の主面３６で帰零カム２０の外周面２２に弾性的に圧接されるように、且つ横方向延在部３５の内側側縁３７が溝８の溝部分８ｂの端８ｃを中心として実際上クロノグラフ真１２の回転中心軸線Ｄを通る仮想円Ｈに沿うように、配置される。ここで、帰零ばね３０の帰零カム２０の外周面に対する圧接力は、典型的には、１０ｍＮ〜２０ｍＮ（１ｇｆ〜２ｇｆ）の範囲である。但し、所望ならば、より大きくても、より小さくてもよい。
【００３９】
従って、クロノグラフ指針車１０が正方向Ｄ１に回転される場合、クロノグラフ指針車１０は、実際上、帰零カム２０及び帰零ばね３０により規制されることなく実際上自由に回転する。帰零ばね３０の係止つめ部３３が帰零カム２０の最大径部２１ａを越えると、弾性的に最小径部２１ｂと当接する状態に落ちるので、帰零カム２０のカム面２１との係合が継続される。但し、帰零ばね３０が、クロノグラフ指針車１０を帰零カム２０を介して半径方向内向きに弾性的に押えているので、クロノグラフ指針車１０を回転させるためには、少なくとも、帰零ばね３０による押圧力の作用下での摩擦力に打克つ必要がある。その結果、歯車間の噛合が確実になり、バックラッシュの影響を最低限に押え得る。その結果、クロノグラフ指針車１０の回転がムラが最低限に抑えられ、クロノグラフ指針１１の運針ムラが最低限に抑えられ得る。
【００４０】
一方、クロノグラフ時計１のリセットボタンの押圧によって帰零指示があると、クロノグラフ指針１１を備えたクロノグラフ指針車１０は、モータ５０によって逆方向Ｄ２に回転される。
【００４１】
ここで、帰零ばね３０は、その係止つめ部３３の横方向延在脚部３５の主面３６で、帰零カム２０の外周面２２に弾性的に圧接されており、横方向延在部３５の内側側縁３７が帰零カム２０の回転規制面２４を係止しない限り、帰零ばね３０は帰零カム２０のＤ２方向回転を許容する。すなわち、帰零カム３０のＤ２方向回転に伴い帰零カム３０の最小径部２１ｂ及び最大径部２１ａが帰零ばね３０の係止つめ部３３の横方向延在脚部３５の内側側縁３７に達するまでは、帰零ばね３０はその係止つめ部３３の横方向延在脚部３５の主面３６で帰零カム２０の外周面２２に弾性的に圧接された状態で帰零カム２０のＤ２方向回転を許容する。一方、帰零カム２０の最小径部２１ｂが帰零ばね３０の係止つめ部３３の横方向延在脚部３５に一致するようになり、帰零カム２０の最大径部２１ａが帰零ばね３０の係止つめ部３３の横方向延在脚部３５の内側側縁３７に引っ掛ると、帰零カム２０のＤ２方向回転が帰零ばね３０によって規制ないし禁止されて、クロノグラフ指針車１０のＤ２方向回転が停止される。
【００４２】
この状態が、帰零状態ないし帰零位置であって、クロノグラフ指針１１ないしクロノグラフ（指針）車１０が所定の初期位置に戻されたことになる。
【００４３】
次に、クロノグラフ指針車１０の停止に伴うモータ５０のロータ５１の回転の停止の検出の仕方について、例示的に説明する。
【００４４】
モータ５０は、例えば、図５に模式的に示すような構造を有する。すなわち、モータ５０は、磁石の形態のロータ本体ないしロータ磁石５１ｂと、コイル５３及びステータ５４とを有し、直径方向に磁化した円形断面のロータ磁石５１ｂがステータ５４のほぼ円形の穴５５に遊嵌されている。ステータ５４の穴５５は、該穴５５内でのロータ磁石５１ｂの安定方向を規定する一対の切欠５６，５６と、ステータ５４が磁化された際に磁束の一部を穴５５内に漏洩させるべく磁路を狭めるための一対の切欠５７，５７とを有する。切欠５６，５６は、穴５５の近傍におけるステータ５４の延在方向（切欠５７，５７を結ぶ方向に直角な方向）に対して斜めに整列配置されている。
【００４５】
このモータ５０では、コイル５３に電流が流れておらずステータ５４が磁化されていないときにはロータ磁石５１ｂは、直径方向に並んだ磁極による磁化が、切欠５６，５６を結ぶ方向に対して直角に向く位置を安定位置として採る。この安定位置の一つは、例えば、図５に示した位置である。
【００４６】
この状態で、図５に示したようにモータ５０のコイル５３の巻線５３ａにＪ１方向の電流が流れると、この電流によりステータ５４が図５に示したように磁化され、切欠５７，５７によって狭められたステータ部分が磁気的にほぼ飽和してその近傍の穴５５内に磁束の漏れが生じ、該漏洩磁束の磁場によってロータ磁石５１ｂがＫ１方向に回転する。また、ロータ磁石５１ｂの半回転が完了する頃には、コイル５３の巻線５３ａに対するＪ１方向のパルス電流が断たれる。その結果、ロータ磁石５１ｂは、実際上、図示のような安定位置（但し、磁極Ｎ，Ｓが逆転）を中心として、Ｋ２，Ｋ１方向に往復振動するような減衰振動をして、安定位置で停止する。
【００４７】
一方、帰零カム２０の最大径部２１ａのところの回転規制面２４が帰零ばね３０の係止つめ部３３の横方向延在脚部３５の内側側縁３７に引っ掛って、帰零カム２０のＤ２方向回転が規制ないし禁止された状態では、クロノグラフ指針車１０の回転が停止され、モータ５０のロータ５１の回転も禁止される。
【００４８】
その結果、コイル５３の巻線５３ａにクロノグラフ指針車１０を逆方向Ｄ２に回転させようとする駆動電流が流れても、ロータ磁石５１ｂは安定位置を中心に小さく往復回動（振動）するだけで実際上回転されず、その振動も速やかに減衰する。
【００４９】
なお、図５に示したタイプのモータ５０において、ロータ５１を逆方向Ｋ２に回転させるためには、Ｋ１方向に回転させる場合と異なり、例えば、コイル５３の巻線５３ａに流す第一のパルス電流でロータ磁石５１ｂを大きく揺動（往復回動）させておき、ロータ磁石５１ｂが図５に示した位置に対してＫ２方向に９０度程度回転した回転に達した際に、ＨＪ１方向の第二のパルス電流を与えることにより、ロータ磁石５１ｂをＫ２方向に回転させることになる。但し、ロータ磁石５１ｂが回転した直後の期間Ｔ２において該ロータ磁石５１ｂが減衰振動する挙動は、実際上同様である。
【００５０】
従って、モータ回転検出器６０として、モータ５０のロータ磁石５１ｂの半回転及びその後の減衰振動（回転）に伴ってステータ５４に生じる磁束変化を該磁束変化に応じて誘記される電圧として検出する巻線６１と、該巻線６１に誘起される電圧が所定の閾レベルＵ以上であるか否かを判別する判別器６２とからなるものを設けておくことにより、帰零カム２０が回転しているかそれとも帰零ばね３０の係止つめ３３によって回転規制されて回転しなくなっているかが判別され得る。なお、巻線６１は、図示の例では、コイル５３の巻線５３ａで代替されているけれども、ステータ５４に別途巻回されていてもよい。
【００５１】
すなわち、モータ５０に与えられる駆動パルスにより帰零カム２０が回転された場合には、図６の（ａ）で示したように、所定の回転期間Ｔ１内において回転駆動パルスによるロータ５１の半回転に応じて得られる所定閾レベルＵ以上の誘起電圧信号Ｐ１に加えて、所定の回転期間Ｔ１の後、次の駆動パルスが与えられることによる次の同様な期間Ｔ１の前の期間Ｔ２においてもロータ磁石５１ｂの回転後の減衰振動に伴って所定閾レベルＵ以上の大きな誘起電圧信号Ｐ２が得られる。この誘起電圧信号Ｐ２は、一つ又は複数の大きなパルスを伴い得る。
【００５２】
従って、期間Ｔ２において閾レベルＵ以上の大きな信号Ｐ２があったことを検出器６０の判別器６２で検出することにより、モータ５０のロータ５１が回転したことを検出し得る。ここで、図示の簡明化のために片側だけを示しているけれども、閾レベルＵは、絶対値である。なお、期間Ｔ１においては、コイル５３の巻線５３ａを介して与えられる駆動パルス信号が誘起電圧信号Ｐ１に重なることから、ここでは、期間Ｔ１を非検出期間としているけれども、所望ならば期間Ｔ１の誘起電圧信号が閾レベルＵ以上であるか否かを検出して、ロータ５１の回転を検出するようにしてもよい。
【００５３】
一方、モータ５０に回転駆動パルスが与えられても、帰零カム２０の回転規制面２４が帰零ばね３０の係止面３７に引っかかって、ロータ５１の回転が規制ないし禁止されている場合には、図６の（ｂ）で示したように、ロータ磁石５１ｂの回転期間Ｔ１において小さなノイズＲ１が生じるだけで有意な大きさのパルス信号が生じないだけでなく、該所定の回転期間Ｔ１の後の減衰振動期間Ｔ２においても、小さなノイズＲ２が生じるだけで有意な大きさのパルス信号は生じない。
【００５４】
従って、モータ駆動パルスの発信時点から時間（期間）Ｔ１の経過後の時間（期間）Ｔ２において、閾レベルＵ以上の信号があったか否かを検出器６０の判別器６２で検出することにより、モータ５０のロータ５１が回転しなかったことを検出し得る。ここで、モータ５０のロータ５１の回転が妨げられ回転できていないことを検出器６０の判別器６２で検出することによって、帰零カム２０の回転が禁止されてクロノグラフ指針１１が初期位置に戻ったこと（帰零処理が完了したこと）がわかるので、モータ５０の逆転駆動を停止させる。これにより、モータ５０が誤って回転駆動力を及ぼし続けるような事態が生じるのを避け、無理な駆動力を輪列４０等に与えるのを防止し得る。
【００５５】
以上のとおり、この場合、検出器６０により、帰零カム２０が帰零ばね３０によって回転規制された帰零状態にあるか否かが検出され得、無理な駆動力を与える虞れを最低限に抑え得る。
【００５６】
なお、このクロノグラフ時計では、占有スペースの大きいハートカム及びその叩き機構がなくてもよいから、各クロノグラフ指針の配置の自由度が増す。従って、例えば、クロノグラフ時計としては、図１に示したように中心に秒クロノグラフ指針が位置し通常の時刻表示用の秒針ないし秒車４が中心からズレた位置（例えば６時の位置）にあるタイプのものの代わりに、例えば、図７に示したように、通常の時刻表示用の秒針ないし秒車４が中心に位置し、秒クロノグラフ指針が例えば６時の位置にあってもよい。
【００５７】
また、クロノグラフ時計の複数のクロノグラフ指針のうちの一部のクロノグラフ指針の帰零のために、本発明の帰零構造の代わりに、ハートカムを利用した従来の帰零構造を用いてもよい。
【図面の簡単な説明】
【００５８】
【図１】本発明の好ましい一実施例のクロノグラフ時計の平面説明図。
【図２】図１のクロノグラフ時計の一部の帰零機構の断面説明図。
【図３】図１のクロノグラフ時計の一部の帰零機構を説明するためのもので、（ａ）は帰零機構を帰零ばねの延在方向に対して直角な向きから見た斜視説明図、（ｂ）は（ａ）の帰零機構を少し異なる向きから見た斜視説明図。
【図４】図３の帰零機構を取り出してみたもので、（ａ）は帰零ばねが帰零カムの回転を規制する状態を示した平面説明図、（ｂ）は帰零ばねが帰零カムの回転を許容する状態を示した平面説明図、（ｃ）は帰零カムを含むクロノグラフ指針車及び帰零ばねを取り出して示した斜視説明図。
【図５】図１のクロノグラフ時計の帰零機構に用いられるモータ及び回転停止検出部の模式的説明図。
【図６】図６の回転停止検出部において検出される信号を示したもので、（ａ）は帰零カムの回転が許容されモータの回転が許容される場合の検出信号のタイムチャート、（ｂ）は（ａ）は帰零カムの回転が規制ないし禁止されモータの回転が規制ないし禁止される場合の検出信号のタイムチャート。
【図７】変形例のクロノグラフ時計の平面説明図。
【符号の説明】
【００５９】
１  クロノグラフ時計
２  クロノグラフ指針の帰零構造
２Ａ  分クロノグラフ指針の帰零構造
２Ｂ  秒クロノグラフ指針の帰零構造
２Ｃ  １／１０クロノグラフ指針の帰零構造
５  クロノグラフ表示部
５Ａ  分クロノグラフ表示部
５Ｂ  秒クロノグラフ表示部
５Ｃ  １／１０クロノグラフ表示部
６  地板
７  クロノグラフ受
８  溝部
８ａ，８ｂ  溝部分
８ｃ  端
１０  クロノグラフ（指針）車
１０Ａ  分クロノグラフ（指針）車
１０Ｂ  秒クロノグラフ（指針）車
１０Ｃ  １／１０クロノグラフ（指針）車
１１  クロノグラフ指針
１１Ａ  分クロノグラフ指針
１１Ｂ  秒クロノグラフ指針
１１Ｃ  １／１０クロノグラフ指針
１２  クロノグラフ真
１４  クロノグラフ歯車
２０  帰零カム
２０Ａ  分クロノグラフ指針用帰零カム
２０Ｂ  秒クロノグラフ指針用帰零カム
２０Ｃ  １／１０クロノグラフ指針用帰零カム
２１  カム面
２１ａ  最大径部
２１ｂ  最小径部
２２  外周面
２３  盤状体
２４  回転規制面
２５  端面
３０  帰零ばね
３０Ａ  分クロノグラフ指針用帰零ばね
３０Ｂ  秒クロノグラフ指針用帰零ばね
３０Ｃ  １／１０クロノグラフ指針用帰零ばね
３１  板ばね本体部
３２  Ｌ字状取付部（固定端部）
３２ａ  横方向延在脚部
３２ｂ  長手方向延在脚部
３３  係止つめ部
３５  横方向延在脚部
３６  主面
３７  内側側縁
４０  中間輪列
４１  最近接中間車
４１ｂ  かな
４２，４３  中間車
５０  モータ
５１  ロータ
５１ａ  ロータかな
５１ｂ  ロータ磁石
５３  コイル
５３ａ  巻線
５４  ステータ
５５  穴
５６  切欠
５７  切欠
６０  モータ回転検出器
６１  巻線
６２  判別器
Ｄ  回転中心軸線
Ｄ１，Ｋ１  回転方向（正転）
Ｄ２，Ｋ２  回転方向（逆転）
Ｅ１，Ｅ２  撓み方向
Ｇ１  小間隙
Ｈ  仮想円
Ｊ１  電流の方向
Ｐ１，Ｐ２  誘起電圧
Ｒ１，Ｒ２  ノイズ
Ｔ１  期間（非検出期間）
Ｔ２  期間（検出期間）
Ｕ  閾レベル
【図１】
2009121963.tif 000003
【図２】
2009121963.tif 000004
【図３】
2009121963.tif 000005
【図４】
2009121963.tif 000006
【図５】
2009121963.tif 000007
【図６】
2009121963.tif 000008
【図７】
2009121963.tif 000009